(57)【要約】【課題】アンテナ機能を有する無線機装着用バンドを備えた無線機の受信感度特性を向上させる。【解決手段】ブレスレット（無線機装着用バンド）２０における無線回路（無線機）３１を装着対象物に装着したときに装着対象物とは反対側に露出する露出導電部（駒２１ａ，２１ｂ，２２ａ，２２ｂ，２３ａ，２３ｂ）を設け、上記露出導電部を上記無線機のアンテナ３２として機能させる。【選択図】図１
2015046719.tif 000002
【特許請求の範囲】
【請求項１】
無線機を装着対象物に装着するための無線機装着用バンドであって、
当該無線機装着用バンドにおける上記無線機を上記装着対象物に装着したときに上記装着対象物とは反対側に露出する露出面の少なくとも一部に導電性部材からなる露出導電部を備え、
上記露出導電部が上記無線機のアンテナとして機能することを特徴とする無線機装着用バンド。
【請求項２】
複数の駒と、上記駒同士を連結する連結部材とを備え、
上記露出導電部は、複数の上記駒のうちの少なくとも一部の駒であることを特徴とする請求項１に記載の無線機装着用バンド。
【請求項３】
複数の上記駒のうちの一部の駒が上記アンテナとして機能し、
上記アンテナとして機能する駒同士を連結する上記連結部材が導電性部材からなり、当該駒同士の上記露出導電部が上記連結部材を介して互いに導通しており、
上記アンテナとして機能する駒と上記アンテナとして機能しない駒とを連結する上記連結部材が非導電性部材からなり、当該駒同士が電気的に絶縁されているか、あるいは離間していることを特徴とする請求項２に記載の無線機装着用バンド。
【請求項４】
上記露出導電部を上記無線機の無線回路に電気的に接続するための接続部を２つ備え、一方の上記接続部に給電線が接続され、他方の上記接続部に短絡線が接続されることにより、上記露出導電部が逆Ｆアンテナとして機能することを特徴とする請求項１から３のいずれか１項に記載の無線機装着用バンド。
【請求項５】
請求項１から４のいずれか１項に記載の無線機装着用バンドを備えていることを特徴とする無線機。
【発明の詳細な説明】
【技術分野】
【０００１】
本発明は、無線機を装着対象物に装着するための無線機装着用バンド、および上記無線機装着用バンドを備えた無線機に関するものである。
【背景技術】
【０００２】
従来、アンテナを内蔵したバンド（ブレスレット）を備えた腕時計型無線機が知られている。
【０００３】
例えば、特許文献１には、合成ゴムからなる絶縁層の内部にアンテナ板をインサート成形し、上記絶縁層の外側を金属バンドで覆った腕時計型無線機用バンドが開示されている。
【先行技術文献】
【特許文献】
【０００４】
【特許文献１】特開平５−００３４４６号公報（１９９３年１月８日公開）
【発明の概要】
【発明が解決しようとする課題】
【０００５】
しかしながら、上記特許文献１の技術には、腕時計型無線機用バンドの外面に備えられている金属バンドが当該腕時計型無線機用バンドの内部に備えられたアンテナ板による信号の受信に悪影響を及ぼし、無線機の受信感度特性が低下してしまうという問題がある。
【０００６】
本発明は、上記の問題点に鑑みてなされたものであり、その目的は、アンテナ機能を有する無線機装着用バンドを備えた無線機の受信感度特性を向上させることにある。
【課題を解決するための手段】
【０００７】
本発明の一態様にかかる無線機装着用バンドは、無線機を装着対象物に装着するための無線機装着用バンドであって、当該無線機装着用バンドにおける上記無線機を上記装着対象物に装着したときに上記装着対象物とは反対側に露出する露出面の少なくとも一部に導電性部材からなる露出導電部を備え、上記露出導電部が上記無線機のアンテナとして機能することを特徴としている。
【発明の効果】
【０００８】
上記の構成によれば、無線機を装着対象物に装着したときに装着対象物とは反対側に露出する露出面に配置された露出導電部をアンテナとして機能させるので、アンテナと当該無線機装着用バンドの露出面との間にアンテナの受信感度に影響を及ぼす部材が存在しないため、アンテナの受信感度特性を向上させることができる。
【図面の簡単な説明】
【０００９】
【図１】本発明の実施形態１に係る腕時計型無線機の概略構成を示す説明図である。
【図２】本発明の実施形態２に係る腕時計型無線機の概略構成を示す説明図である。
【図３】本発明の実施形態３に係る腕時計型無線機の概略構成を示す説明図である。
【図４】本発明の実施形態４に係る腕時計型無線機の概略構成を示す説明図である。
【図５】本発明の実施形態５に係る腕時計型無線機の概略構成を示す説明図である。
【図６】本発明の実施形態６に係る腕時計型無線機の概略構成を示す説明図である。
【図７】本発明の実施形態７に係る腕時計型無線機の概略構成を示す説明図である。
【図８】本発明の実施形態８に係る腕時計型無線機の概略構成を示す説明図である。
【発明を実施するための形態】
【００１０】
〔実施形態１〕
本発明の一実施形態について説明する。図１は、本実施形態にかかる腕時計型無線機（無線機）１ａの概略構成を示す説明図である。
【００１１】
図１に示すように、腕時計型無線機１ａは、ケース１０、ブレスレット２０、および無線部（無線機）３０を備えている。
【００１２】
ケース１０は、文字盤や針等を備えた時計部１１、風防、リューズ、およびベゼルなどを備えている。また、ケース１０の外周部には、ブレスレット２０を取り付けるためのラグ１２が設けられている。また、ケース１０の内部には、無線部３０の一部である無線回路３１が備えられている。なお、時計部１１の構成は特に限定されるものではなく、例えばアナログ式であってもデジタル式であってもよい。また、ラグ１２は、ケース１０と一体的に形成されるものであってもよく、ケース１０に取り付けられるものであってもよい。
【００１３】
ブレスレット（無線機装着用バンド）２０は、シャフト２４ａによってケース１０に設けられたラグ１２に連結されており、このブレスレット２０をユーザの腕に巻き付けることによって腕時計型無線機１ａがユーザの腕に装着されるようになっている。なお、ブレスレット２０は、ユーザの腕に巻き付けられた状態を保持するためのバックル（留め具。図示せず。）を備えていてもよい。
【００１４】
本実施形態では、ブレスレット２０は、駒２１（２１ａ，２１ｂ，２１ｃ，・・・・，２１ｘ）と、駒２２（２２ａ，２２ｂ，２２ｃ，２２ｄ，・・・，２２ｘ）と、駒２３（２３ａ，２３ｂ，２３ｃ，２３ｄ，・・・，２３ｘ）とがシャフト（連結部材）２４（２４ａ，２４ｂ，２４ｃ，２４ｄ・・・）によって連結された構成になっている。なお、図１では、簡単のために一部のシャフトについては図示を省略している。
【００１５】
上記の各駒（駒２１，２２，２３）は、金属等の導電性部材で形成されている。また、シャフト２４ｂ，２４ｃ，２４ｄは金属等の導電性部材からなり、その他のシャフト２４ａ，２４ｅ，２４ｆ，・・・は非導電性樹脂等の非導電性部材からなる。
【００１６】
また、各駒における他の部材（他の駒、ラグ１２、あるいはケース１０）との対向面、および裏面側（ユーザが腕に巻いたときに人体に触れる側）は塗料、被膜、あるいは樹脂部材などの絶縁部材によって外部と電気的に絶縁されている。なお、ユーザの腕に巻いたときに駒同士が離間するように各駒が形成されている場合には、必ずしも上記対向面が上記絶縁部材を備えている必要はない。
【００１７】
これにより、図１において破線で囲んだ領域に含まれる各駒、すなわち駒２１ａ，２１ｂ，２２ａ，２２ｂ，２３ａ，２３ｂが導電性部材からなるシャフト２４ｂ，２４ｃ，２４ｄを介して互いに電気的に導通する一方、これら各駒と他の駒、ラグ１２、ケース１０、および人体とは電気的に絶縁されるようになっている。
【００１８】
また、駒２２ａには、無線回路３１に接続された配線部（給電線）３３をアンテナ３２に接続するための接続部２９ａが設けられている。なお、接続部２９ａは、駒２２ａ（アンテナ３２）のラグ１２に対する相対位置あるいは相対角度が変化した場合でも配線部３３と駒２２ａとの接続状態を維持できるように、板バネあるいは摺動接点等により構成されていてもよい。また、接続部２９ａは、溶接や導電性接着剤を用いた接着等により配線部３３と駒２２ａとを接続するものであってもよい。また、配線部３３と無線回路３１との接続部、あるいは配線部３３における無線回路３１から接続部２９ａまでの経路中に、板バネや摺動接点等が設けられていてもよい。
【００１９】
このように、本実施形態では、ユーザが腕に巻いたときにユーザの腕とは反対側に露出する露出面を有する駒（露出導電部）２１ａ，２１ｂ，２２ａ，２２ｂ，２３ａ，２３ｂが導電性部材からなり、これら各駒がシャフト（連結部材）２４ｂ，２４ｃ，２４ｄを介して互いに導通しており、かつ接続部２９ａおよび配線部３３を介して無線部３０に電気的に接続されている。これにより、駒２１ａ，２１ｂ，２２ａ，２２ｂ，２３ａ，２３ｂが無線部３０のアンテナ３２として機能する。
【００２０】
無線部３０は、無線回路３１、アンテナ３２、配線部３３、および止水部３４を備えている。
【００２１】
無線回路３１は、上述したようにケース１０の内部に配置されており、無線部３０の各部への電力供給や送受信信号の処理などを行う。
【００２２】
アンテナ３２は、上述したようにブレスレット２０を構成する駒のうちの一部の駒からなり、無線回路３１から伝達された送信信号の外部への送信、および外部から受信した受信信号の無線回路３１への伝達を行う。
【００２３】
配線部３３は、ケース１０およびラグ１２に設けられた貫通孔を介して無線回路３１とアンテナ３２とを電気的に接続する。なお、配線部３３とケース１０およびラグ１２との間は絶縁されている。
【００２４】
止水部３４は、例えばＯリングからなり、ケース１０における配線部３３が通された貫通孔を封止し、この貫通孔からケース１０内に水や埃等が入ることを防止する。
【００２５】
以上のように、本実施形態にかかる腕時計型無線機１ａは、ブレスレット２０を構成する導電性の駒のうちの一部の駒をアンテナ３２として機能させる。これにより、表面側（ユーザが腕に巻いたときに人体に触れない側（人体と反対側））に露出した導電部材（露出導電部）をアンテナ３２として用いることができるので、上述した従来技術のようにアンテナの表面側に受信を阻害する部材がないため、アンテナの受信感度特性を向上させることができる。また、駒の表面を金属で構成することができるので、ブレスレット２０の材質の選択肢を広げ、ブレスレット２０のデザイン性を向上させることができる。
【００２６】
なお、本実施形態では、アンテナ３２として用いる駒２１ａ，２１ｂ，２２ａ，２２ｂ，２３ａ，２３ｂが金属製であるものとしたが、これに限るものではなく、使用する周波数帯に対応するように駒の連結によりアンテナ長を適宜変えることができる。アンテナ３２を構成する駒の表面側（ユーザが腕に巻いたときに人体に触れない側）に露出する露出面の少なくとも一部が導電性部材であり、当該導電性部材がアンテナ３２として機能する構成であればよい。例えば、１／４λの逆Ｌアンテナで設計する場合は、アンテナの長さを、周波数帯が８００ＭＨｚの場合は約９ｃｍ程度、周波数帯が２ＧＨｚの場合は約４ｃｍ程度の長さに設定すればよく、駒を必要長さ分接続することでそれぞれの周波数帯に対応できる。
【００２７】
また、本実施形態では、ブレスレット２０の延伸方向に垂直な方向に沿って３つの駒が連結された構成について説明したが、ブレスレット２０の構成はこれに限るものではなく、駒の個数、形状、配置等は適宜変更してもよい。
【００２８】
また、本実施形態では、駒同士をシャフト２４ａ，２４ｂ，２４ｃ，・・・によって連結しているが、これに限るものではない。例えば、駒に設けた凸部と隣接する駒に設けた凹部とを係合させることにより連結してもよい。その場合、アンテナ３２として用いる駒同士の連結部を構成する凹部および凸部を導電部材で形成し、その他の駒あるいはラグ１２の連結部を非導電部材で形成すればよい。
【００２９】
〔実施形態２〕
本発明の他の実施形態について説明する。なお、説明の便宜上、上述した実施形態と同様の機能を有する部材には同じ符号を付し、その説明を省略する。
【００３０】
図２は、本実施形態にかかる腕時計型無線機（無線機）１ｂの概略構成を示す説明図である。実施形態１に示した腕時計型無線機１ａと異なる点は、ケース１０とラグ１２との間に非導電部１２ｂが設けられている点、およびシャフト２４ａが導電部材で形成されている点である。非導電部１２ｂとしては、例えば非導電性の樹脂材料などを用いることができる。
【００３１】
本実施形態にかかる腕時計型無線機１ｂでは、ラグ（露出導電部）１２、駒（露出導電部）２１ａ，２１ｂ，２２ａ，２２ｂ，２３ａ，２３ｂがシャフト（連結部材）２４ａ，２４ｂ，２４ｃ，２４ｄを介して電気的に導通され、これら各部材がアンテナ３２として機能する。これにより、実施形態１と同様、アンテナの受信感度特性を向上させるとともに、デザイン性も向上させることができる。
【００３２】
また、本実施形態では、アンテナ３２と配線部３３との接続部２９ａをラグ１２に設けることができるので、実施形態１のようにラグ１２と駒２２ａとを非導通にして接続部２９ａを駒２２ａに設ける場合に比べて、配線部３３の長さを短くすることができ、配線部３３における信号の伝送効率を向上させることができる。
【００３３】
〔実施形態３〕
本発明のさらに他の実施形態について説明する。なお、説明の便宜上、上述した実施形態と同様の機能を有する部材には同じ符号を付し、その説明を省略する。
【００３４】
図３は、本実施形態にかかる腕時計型無線機（無線機）１ｃの概略構成を示す説明図である。実施形態１に示した腕時計型無線機１ａと異なる点は、
（ｉ）駒２３ａをラグ１２・１２に連結するためのシャフト２４ａが、一端側（配線部３３が配置されていないラグ１２と駒２４ａとに当接する部分）が導電部材２４ａ１で形成され、他端側（配線部３３が配置されているラグ１２と駒２４ａとに当接する部分）が非導電部材２４ａ２で形成されている点、（ｉｉ）無線回路３１と配線部３３が配置されていない側のラグ１２とが、このラグ１２に設けられた接続部２９ｂおよび配線部（短絡線）３５によって電気的に導通するように接続されている点、および（ｉｉｉ）ケース１０における配線部３５が通される貫通孔（図示せず）を封止する止水部３６を備えている点である。なお、接続部２９ｂおよび配線部３５の構成は、特に限定されるものではなく、例えば板バネや摺動接点等を備えていてもよい。
【００３５】
上記の構成では、図３に破線で示したように、配線部３３が配置されていない側のラグ１２、駒２１ａ，２１ｂ、駒２２ａ，２２ｂ、および駒２３ａ，２３ｂがアンテナ３２として機能する。また、配線部３３が給電線として機能し、配線部３５が短絡線として機能することにより、アンテナ３２が逆Ｆアンテナとして機能する。これにより、実施形態１と同様の効果に加えて、受信帯域の広帯化を図ることができる。
【００３６】
なお、本実施形態では、配線部３５により無線回路３１と配線部３３が配置されていない側のラグ１２とを接続しているが、これに限らず、例えば、上記ラグ１２とケース１０とを導通させ、配線部３５により無線回路３１とケース１０とを接続するようにしてもよい。
【００３７】
〔実施形態４〕
本発明のさらに他の実施形態について説明する。なお、説明の便宜上、上述した実施形態と同様の機能を有する部材には同じ符号を付し、その説明を省略する。
【００３８】
図４は、本実施形態にかかる腕時計型無線機（無線機）１ｄの概略構成を示す説明図である。実施形態３に示した腕時計型無線機１ｃと異なる点は、（ｉ）配線部３３が一方のラグ１２に接続されている点、（ｉｉ）配線部３３が接続されているラグ１２とケース１０との間に非導電部１２ｂが設けられている点、および（ｉｉｉ）駒２３ａをラグ１２・１２に連結するためのシャフト２４ａが金属等の導電部材で形成されている点である。
【００３９】
上記の構成では、図４に破線で示したように、ラグ１２・１２、駒２１ａ，２１ｂ、駒２２ａ，２２ｂ、および駒２３ａ，２３ｂがアンテナ３２として機能する。また、配線部３３が給電線として機能し、配線部３５が短絡線として機能する逆Ｆアンテナが形成される。
【００４０】
これにより、実施形態３と略同様の効果を得ることができる。また、アンテナ３２と配線部３３との接続部２９ａをラグ１２に設けることができるので、接続部２９ａを駒２２ａに設ける場合に比べて、配線部３３の長さを短くすることができ、配線部３３における信号の伝送効率を向上させることができる。
【００４１】
〔実施形態５〕
本発明のさらに他の実施形態について説明する。なお、説明の便宜上、上述した実施形態と同様の機能を有する部材には同じ符号を付し、その説明を省略する。
【００４２】
図５は、本実施形態にかかる腕時計型無線機（無線機）１ｅの概略構成を示す説明図である。実施形態１に示した腕時計型無線機１ａと異なる点は、本実施形態では、アンテナ３２として機能する駒に導電性材料からなる駒を用いる一方、その他の駒については非導電性材料からなる駒を用いる点である。すなわち、（ｉ）金属製（導電性）の駒２１ｃ，２１ｄ，・・・に代えて非導電性の駒２５ｃ，２５ｄ，・・・が備えられている点、（ｉｉ）金属製（導電性）の駒２２ｃ，２２ｄ，・・・に代えて非導電性の駒２６ｃ，２６ｄ，・・・が備えられている点、および（ｉｉｉ）金属製（導電性）の駒２３ｃ，２３ｄ，・・・に代えて非導電性の駒２７ｃ，２７ｄ，・・・が備えられている点が実施形態１と異なる。
【００４３】
なお、上記の非導電性の駒としては、例えば非導電性樹脂からなる駒などを用いることができる。また、２色成形（ダブルモールド）によって少なくとも外面が非導電性樹脂からなる駒を生成してもよい。
【００４４】
本実施形態の構成では、実施形態１と略同様の効果を得ることができる。また、全ての駒を金属製の駒とする場合に比べて、駒の材質の選択肢を広げ、デザイン性を向上させることができる。
【００４５】
なお、アンテナ３２として用いない各駒に加えて、ラグ１２についても非導電性部材で形成するようにしてもよい。
【００４６】
〔実施形態６〕
本発明のさらに他の実施形態について説明する。なお、説明の便宜上、上述した実施形態と同様の機能を有する部材には同じ符号を付し、その説明を省略する。
【００４７】
図６は、本実施形態にかかる腕時計型無線機（無線機）１ｆの概略構成を示す説明図である。実施形態１に示した腕時計型無線機１ａと異なる点は、（ｉ）金属製（導電性）の駒２１ａ，２１ｄ，・・・に代えて非導電性の駒２５ａ，２５ｄ，・・・が備えられている点、（ｉｉ）金属製（導電性）の駒２２ａ，２２ｄ，・・・に代えて非導電性の駒２６ａ，２６ｄ，・・・が備えられている点、（ｉｉｉ）金属製（導電性）の駒２３ａ，２３ｄ，・・・に代えて非導電性の駒２７ａ，２７ｄ，・・・、（ｉｖ）配線部３３が駒２２ａに設けられた貫通孔を介して駒２２ｂに接続されている点、および（ｖ）シャフト２４ｄ，２４ｅ，２４ｆが導電性部材で構成されている一方、他のシャフトが非導電性部材で構成されている点である。
【００４８】
この構成では、駒２１ｂ，２１ｃ、駒２２ｂ，２２ｃ、および駒２３ｂ，２３ｃをアンテナ３２として機能させることができ、実施形態１と略同様の効果を得ることができる。
【００４９】
また、配線部３３を通す貫通孔が設けられる駒２６ａを非導電性部材で形成することにより、上記貫通孔（線路構造）を容易に形成することができる。
【００５０】
なお、本実施形態では、アンテナ３２として用いる金属製（導電性）の駒のブレスレット２０の延伸方向（周方向）の位置を、ケース１０から２つ目および３つ目の駒に設定しているが、これに限らず、任意の位置に設定することができる。これにより、導電性部材からなる駒の位置と非導電性部材からなる駒の位置とを任意に設定することができるので、デザイン性をさらに向上させることができる。
【００５１】
また、上記の非導電性の駒としては、例えば非導電性樹脂からなる駒などを用いることができる。また、２色成形（ダブルモールド）によって非導電性樹脂からなる駒を生成してもよい。また、アンテナ３２として用いない各駒に加えて、ラグ１２についても非導電性部材で形成するようにしてもよい。
【００５２】
〔実施形態７〕
本発明のさらに他の実施形態について説明する。なお、説明の便宜上、上述した実施形態と同様の機能を有する部材には同じ符号を付し、その説明を省略する。
【００５３】
図７は、本実施形態にかかる腕時計型無線機（無線機）１ｇの概略構成を示す説明図である。
【００５４】
実施形態１に示した腕時計型無線機１ａでは複数の駒が連結されたブレスレット２０を用いていた。これに対して、本実施形態にかかる腕時計型無線機１ｇは、図７に示したように、単一の駒２８からなるブレスレット２０を備えている。
【００５５】
駒２８は金属製（導電性）部材からなり、非導電性部材からなるシャフト２４ａによりラグ１２に連結されている。なお、駒２８の材質は少なくともユーザが腕に巻いたときにユーザの腕とは反対側に露出する露出面が導電性を有する材質であれば特に限定されない。
【００５６】
また、駒２８は配線部３３および接続部２９ａを介して無線回路３１に電気的に接続されている。なお、駒２８とラグ１２との間は絶縁されている。
【００５７】
上記の構成により、ブレスレット２０におけるユーザが腕に巻いたときにユーザの腕とは反対側に露出する露出面の略全体をアンテナ３２として機能させることができるので、アンテナの受信感度特性をより向上させることができる。また、ブレスレット２０全体を１つの材質で形成できるので、製造工程の簡略化およびデザイン性の向上を図ることができる。
【００５８】
〔実施形態８〕
本発明のさらに他の実施形態について説明する。なお、説明の便宜上、上述した実施形態と同様の機能を有する部材には同じ符号を付し、その説明を省略する。
【００５９】
図８は、本実施形態にかかる腕時計型無線機（無線機）１ｈの概略構成を示す説明図である。図１に示した腕時計型無線機１ａと異なる点は、腕時計型無線機１ｈでは、シャフト２４ｂ，２４ｃ，２４ｄに加えて、シャフト２４ｅ，２４ｆが導電性部材からなり、その他のシャフトは非導電性部材からなる点である。
【００６０】
この構成では、図８に示したように、駒２１ａ，２１ｂ，２１ｃ、駒２２ａ，２２ｂ，２２ｃ、および駒２３ａ，２３ｂ，２３ｃがシャフト２４ｂ〜２４ｆを介して導通し、これら各駒がアンテナ３２として機能する。
【００６１】
これにより、実施形態１にかかる腕時計型無線機１ａよりもアンテナ３２のブレスレット２０の延伸方向（周方向）の長さを増加させ、アンテナの受信感度特性をより向上させることができる。
【００６２】
なお、アンテナ３２として機能させる駒の数および位置は図１あるいは図８に示した構成に限るものではなく、要求されるアンテナの受信感度特性やデザイン上の要求等に応じて適宜設定すればよい。
【００６３】
また、上述した各実施形態では、ケース１０に時計部１１が備えられている構成について説明したが、腕時計型無線機１ａ〜１ｈは必ずしも時計部１１を備えた構成に限るものではない。例えば、時計部１１に代えて（あるいは時計部１１に加えて）、無線通信によって取得した情報に応じた画像（例えば静止画、動画、文字情報など）や操作メニュー等を表示する表示部、ユーザが操作入力を行うためのキーボタン等の操作入力部、音声を出力するための音声出力部などを備えていてもよい。
【００６４】
また、上述した各実施形態では、無線機を装着する装着対象物がユーザの腕である腕時計型無線機１ａ〜１ｈについて説明したが、本発明の無線機の装着対象物はこれに限るものではなく、少なくとも無線部（無線機）３０を装着対象物に装着するためのブレスレット（無線機装着用バンド）２０と無線部３０とを備えている構成であればよい。例えば、上記装着対象物は、人体の腕以外の部分、鞄、衣類、乗物のフレーム、各種器具、各種構造物等であってもよい。
【００６５】
〔まとめ〕
本発明の態様１にかかる無線機装着用バンド（２０）は無線機（３０）を装着対象物に装着するための無線機装着用バンド（２０）であって、当該無線機装着用バンド（２０）における上記無線機（３０）を上記装着対象物に装着したときに上記装着対象物とは反対側に露出する露出面の少なくとも一部に導電性部材からなる露出導電部を備え、上記露出導電部が上記無線機（３０）のアンテナ（３２）として機能することを特徴としている。
【００６６】
上記の構成によれば、無線機（３０）を装着対象物に装着したときに装着対象物とは反対側に露出する露出面に配置された露出導電部をアンテナ（３２）として機能させるので、アンテナ（３２）の表面にアンテナ（３２）の受信感度に影響を及ぼす部材が存在しないため、アンテナ（３２）の受信感度特性を向上させることができる。
【００６７】
本発明の態様２にかかる無線機装着用バンド（１ａ〜１ｆ，１ｈ）は、複数の駒（２１〜２３，２５〜２７）と、上記駒同士を連結する連結部材（２４）とを備え、上記露出導電部は、複数の上記駒のうちの少なくとも一部の駒である構成である。
【００６８】
上記の構成によれば、複数の駒（２１〜２３，２５〜２７）が連結部材（２４）によって連結された構成からなる無線機装着用バンド（２０）を無線機のアンテナ（３２）として機能させる構成において、アンテナ（３２）の受信感度特性を向上させることができる。
【００６９】
本発明の態様３にかかる無線機装着用バンド（２０）は、複数の上記駒（２１〜２３，２５〜２７）のうちの一部の駒が上記アンテナ（３２）として機能し、上記アンテナ（３２）として機能する駒同士を連結する上記連結部材（２４）が導電性部材からなり、当該駒同士の上記露出導電部が上記連結部材（２４）を介して互いに導通しており、上記アンテナ（３２）として機能する駒と上記アンテナ（３２）として機能しない駒とを連結する上記連結部材（２４）が非導電性部材からなり、当該駒同士が電気的に絶縁されているか、あるいは離間している構成である。
【００７０】
上記の構成によれば、複数の駒（２１〜２３，２５〜２７）の一部をアンテナ（３２）として機能させるとともに、他の駒がアンテナ（３２）の受信特性に影響を及ぼすことを防止できる。
【００７１】
本発明の態様４にかかる無線機装着用バンド（２０）は、上記態様１から３のいずれかにおいて、上記露出導電部を上記無線機（３０）の無線回路（３１）に電気的に接続するための接続部（２９ａ，２９ｂ）を２つ備え、一方の上記接続部（２９ａ）に給電線（配線部３３）が接続され、他方の上記接続部（２９ｂ）に短絡線（配線部３５）が接続されることにより、上記露出導電部が逆Ｆアンテナとして機能する構成である。
【００７２】
上記の構成によれば、アンテナ（３２）の受信感度特性を向上させるとともに、広帯域化を図ることができる。
【００７３】
本発明の無線機は、上記したいずれかの無線機装着用バンド（２０）を備えていることを特徴としている。
【００７４】
上記の構成によれば、アンテナ（３２）の受信感度特性を向上させることができる。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７６】
本発明は、アンテナ機能を有する無線機装着用バンド、および上記無線機装着用バンドを備えた無線機に利用することができる。
【符号の説明】
【００７７】
１ａ〜１ｈ  腕時計型無線機（無線機）
１０  ケース
１１  時計部
１２  ラグ
１２ｂ  非導電部
２０  ブレスレット（無線機装着用バンド）
２１（２１ａ，２１ｂ，２１ｃ，・・・）  駒
２２（２２ａ，２２ｂ，２２ｃ，・・・）  駒
２３（２３ａ，２３ｂ，２３ｃ，・・・）  駒
２４ａ，２４ｂ，２４ｃ，２４ｄ，・・・  シャフト（連結部材）
２４ａ１  導電部材
２４ａ２  非導電部材
２５（２５ａ，２５ｂ，２５ｃ，・・・）  駒
２６（２６ａ，２６ｂ，２６ｃ，・・・）  駒
２７（２７ａ，２７ｂ，２７ｃ，・・・）  駒
２８  駒
２９ａ，２９ｂ  接続部
３０  無線部（無線機）
３１  無線回路
３２  アンテナ
３３  配線部（給電線）
３４  止水部
３５  配線部（短絡線）
３６  止水部
【図１】
2015046719.tif 000003
【図２】
2015046719.tif 000004
【図３】
2015046719.tif 000005
【図４】
2015046719.tif 000006
【図５】
2015046719.tif 000007
【図６】
2015046719.tif 000008
【図７】
2015046719.tif 000009
【図８】
2015046719.tif 000010